(57)【要約】  【課題】  貯蔵室内の臭気除去や除菌の効率を向上できる直冷式の冷蔵庫を提供する。  【解決手段】  送風機２５及びイオン発生装置２６を有したイオン送出ユニット２０を冷蔵室３の上部後方に取り付け、送風機２５の駆動によって前方上部の吸気口２０ａから吸気し、送風機２５の排気側に配されたイオン発生装置２６によってイオンを発生して後方下部に設けられた吐出口２０ｂからイオンを含んだ冷気を送出する。吐出口２０ｂには下方へ行くほど左右に広がった２枚の案内板３０が設けられ、イオンは案内板３０の案内によって吐出口２０ｂの幅よりも左右方向に広がって送出される。【選択図】      図７
2005221160.tif 000002
【特許請求の範囲】
【請求項１】
貯蔵物を貯蔵する貯蔵室と、冷熱を放出するとともに壁面を介して前記貯蔵室に隣接する冷却手段とを備え、前記壁面を介して前記貯蔵室に放出される冷熱により発生する自然対流によって前記貯蔵室内を冷却する冷蔵庫において、前面に開口する吸気口及び後部に配されて下面に開口する吐出口を有するハウジングと、前記吸気口から前記貯蔵室の空気を取り込んで前記吐出口から送出する送風機と、前記送風機の排気側に配されてイオンを発生するイオン発生装置と、前記吐出口から下方に送出される空気を左右方向または前方に導く送風案内部とを有したイオン送出ユニットを前記貯蔵室の上部後方に配置したことを特徴とする冷蔵庫。
【請求項２】
前記送風案内部は、前記吐出口から下方に送出される空気を前記吐出口の幅よりも広がるように導くことを特徴とする請求項１に記載の冷蔵庫。
【請求項３】
前記送風案内部は、前記吐出口に配されて前記吐出口から吐出される空気を左右方向へ案内する板状の案内板を有することを特徴とする請求項１または請求項２に記載の冷蔵庫。
【請求項４】
前記送風案内部は、前記イオン送出ユニットの背壁を傾斜して前記吐出口から吐出される空気を前方へ案内する前方案内部を有することを特徴とする請求項１〜請求項３のいずれかに記載の冷蔵庫。
【請求項５】
前記吐出口よりも下方に延びる保護板を前記吐出口の前方に設けたことを特徴とする請求項１〜請求項４のいずれかに記載の冷蔵庫。
【請求項６】
前記送風案内部の向きを可変にしたことを特徴とする請求項１〜請求項５のいずれかに記載の冷蔵庫。
【請求項７】
貯蔵物を載置する棚の後方に開口部を設けるとともに前記開口部を通過する空気を前方に導く傾斜板を前記開口部に設けたことを特徴とする請求項１〜請求項６のいずれかに記載の冷蔵庫。
【請求項８】
貯蔵物を貯蔵する貯蔵室と、冷熱を放出するとともに壁面を介して前記貯蔵室に隣接する冷却手段とを備え、前記壁面を介して前記貯蔵室に放出される冷熱により発生する自然対流によって前記貯蔵室内を冷却する冷蔵庫において、吸気口及び吐出口を有するハウジングと、前記吸気口から前記貯蔵室の空気を取り込んで前記吐出口から送出する送風機と、イオンを発生するイオン発生装置と、前記吐出口から送出される空気を左右方向または前方に導く送風案内部とを有したイオン送出ユニットを前記貯蔵室に設けたことを特徴とする冷蔵庫。
【発明の詳細な説明】
【技術分野】
【０００１】
本発明は、自然対流により貯蔵室を冷却する冷蔵庫に関し、特に、イオンを発生するイオン発生装置を備えた冷蔵庫に関する。
【背景技術】
【０００２】
イオンを発生するイオン発生装置を有する従来の冷蔵庫は特許文献１に開示されている。この冷蔵庫は貯蔵室の背後に配された冷気ダクト内に送風機及びイオン発生装置の電極が配置されている。送風機の駆動によって冷気ダクトを流通する冷気とともにマイナスイオンが貯蔵室内に放出される。これにより、貯蔵物の臭気成分を除去することができる。また、イオン発生装置によりマイナスイオンとプラスイオンとを発生して貯蔵室に送出することによって貯蔵室内の除菌を行うことができる。
【０００３】
一方、冷気ダクト及び送風機が設けられず、冷却器の冷熱を貯蔵室に放出して自然対流により貯蔵室内を冷却する直冷式の冷蔵庫が知られている。この冷蔵庫は送風機を省くことにより消費電力を低減できるようになっている。
【特許文献１】特開２００３−１４３６５号公報（第２頁−第６頁、第３図）
【発明の開示】
【発明が解決しようとする課題】
【０００４】
上記従来の直冷式の冷蔵庫は冷気ダクト及び送風機が設けられないためイオン発生装置が設置されず、貯蔵室内の臭気除去や除菌を行うことができない。このため、送風機及びイオン発生装置を有したイオン送出ユニットを貯蔵室の上面に設けた冷蔵庫が考えられている。この冷蔵庫によると、貯蔵物を貯蔵する際に邪魔にならず、自然対流によって貯蔵室の壁面に沿って流通する冷気にイオンが含まれて貯蔵室内に拡散されることにより臭気の除去や除菌を行うことができる。
【０００５】
しかしながら、イオン送出ユニットを貯蔵室の上面に設けた冷蔵庫は貯蔵室の上部から略真下方向に吐出されるイオンが貯蔵室内に充分拡散されない問題があった。本発明は、貯蔵室内にイオンを充分拡散して臭気除去や除菌の効果をより向上できる直冷式の冷蔵庫を提供することを目的とする。
【課題を解決するための手段】
【０００６】
上記目的を達成するために本発明は、貯蔵物を貯蔵する貯蔵室と、冷熱を放出するとともに壁面を介して前記貯蔵室に隣接する冷却手段とを備え、前記壁面を介して前記貯蔵室に放出される冷熱により発生する自然対流によって前記貯蔵室内を冷却する冷蔵庫において、前面に開口する吸気口及び後部に配されて下面に開口する吐出口を有するハウジングと、前記吸気口から前記貯蔵室の空気を取り込んで前記吐出口から送出する送風機と、前記送風機の排気側に配されてイオンを発生するイオン発生装置と、前記吐出口から下方に送出される空気を左右方向または前方に導く送風案内部とを有したイオン送出ユニットを前記貯蔵室の上部後方に配置したことを特徴としている。
【０００７】
この構成によると、冷却手段により発生した冷熱は壁面を介して貯蔵室内に放出され、低温となった冷気が壁面に沿って下降して貯蔵室内を冷気が自然対流する。自然対流によって貯蔵室の上面に沿って流通する冷気は、送風機を駆動すると貯蔵室の上部後方に配されたイオン送出ユニットのハウジング内に取込まれる。イオン発生装置の駆動により放出されるイオンは送風機によって吐出口から下方に向かって貯蔵室内に送出される。この時、イオンは送風案内部の案内によって吐出口から左右方向または前方に送出される。
【０００８】
また本発明は、上記構成の冷蔵庫において、前記送風案内部は、前記吐出口から下方に送出される空気を前記吐出口の幅よりも広がるように導くことを特徴としている。この構成によると、吐出口から送出されるイオンは送風案内部の案内によって吐出口から左右方向または前方に広がって送出される。
【０００９】
また本発明は、上記構成の冷蔵庫において、前記送風案内部は、前記吐出口に配されて前記吐出口から吐出される空気を左右方向へ案内する板状の案内板を有することを特徴としている。この構成によると、吐出口から送出されるイオンは板状の案内板の案内によって吐出口から左右方向に広がって送出される。
【００１０】
また本発明は、上記構成の冷蔵庫において、前記送風案内部は、前記イオン送出ユニットの背壁を傾斜して前記吐出口から吐出される空気を前方へ案内する前方案内部を有することを特徴としている。この構成によると、吐出口から送出されるイオンはイオン送出ユニットの背壁を傾斜して形成された前方案内部の案内によって吐出口から前方に広がって送出される。
【００１１】
また本発明は、上記構成の冷蔵庫において、前記吐出口よりも下方に延びる保護板を前記吐出口の前方に設けたことを特徴としている。この構成によると、貯蔵物が保護板に遮られて吐出口の直下に配置されない。
【００１２】
また本発明は、上記構成の冷蔵庫において、前記送風案内部の向きを可変にしたことを特徴としている。この構成によると、貯蔵物に配置に応じて送風案内部の向きが調節される。
【００１３】
また本発明は、上記構成の冷蔵庫において、貯蔵物を載置する棚の後方に開口部を設けるとともに前記開口部を通過する空気を前方に導く傾斜板を前記開口部に設けたことを特徴としている。この構成によると、貯蔵室の後方のイオン送出ユニットから下方に送出されるイオンは開口部を通過して棚の下方に流通するとともに、傾斜板により棚に沿って前方に導かれる。
【００１４】
また本発明は、貯蔵物を貯蔵する貯蔵室と、冷熱を放出するとともに壁面を介して前記貯蔵室に隣接する冷却手段とを備え、前記壁面を介して前記貯蔵室に放出される冷熱により発生する自然対流によって前記貯蔵室内を冷却する冷蔵庫において、吸気口及び吐出口を有するハウジングと、前記吸気口から前記貯蔵室の空気を取り込んで前記吐出口から送出する送風機と、イオンを発生するイオン発生装置と、前記吐出口から送出される空気を左右方向または前方に導く送風案内部とを有したイオン送出ユニットを前記貯蔵室に設けたことを特徴としている。
【００１５】
この構成によると、冷却手段により発生した冷熱は壁面を介して貯蔵室内に放出され、低温となった冷気が壁面に沿って下降して貯蔵室内を冷気が自然対流する。自然対流によって貯蔵室を流通する冷気は、送風機を駆動すると貯蔵室のイオン送出ユニットのハウジング内に取込まれる。イオン発生装置の駆動により放出されるイオンは送風案内部に案内され、吐出口から左右方向または前方に送出される。
【発明の効果】
【００１６】
本発明によると、イオン送出ユニットを貯蔵室の上部後方に設置したので、貯蔵物を貯蔵する際に邪魔にならずに自然対流によって貯蔵室の上面に沿って流通する冷気にイオンを含ませて簡単にイオンを貯蔵室内に循環させることができる。また、吐出口から左右方向または前方にイオンを導く送風案内部を設けたので、イオンを貯蔵室内に充分拡散して臭気除去や除菌の効果を向上することができる。
【００１７】
また本発明によると、送風案内部は吐出口から下方に送出される空気を吐出口の幅よりも広がるように導くので、イオンを貯蔵室内に充分拡散することができる。
【００１８】
また本発明によると、吐出口から吐出される空気を左右方向へ案内する板状の案内板を吐出口に設けたので、吐出口からイオンを容易に左右方向に導くことができる。
【００１９】
また本発明によると、イオン送出ユニットの背壁を傾斜して吐出口から吐出される空気を前方へ案内する前方案内部を設けたので、簡単な構成で貯蔵室の背面や背面に結露した水分との接触によるイオンの消滅を低減してイオンの送出効率を向上できる。
【００２０】
また本発明によると、吐出口よりも下方に延びる保護板を吐出口の前方に設けたので、吐出口が貯蔵物により塞がれることを防止することができ、貯蔵室内にイオンを充分拡散することができる。
【００２１】
また本発明によると、送風案内部の向きを可変にしたので、貯蔵物の配置に応じて送風案内部の向きを変えて貯蔵物との衝突によるイオンの消滅を低減し、イオンの送出効率の低下を防止することができる。
【００２２】
また本発明によると、貯蔵物を載置する棚の後方に開口部を設けるとともに開口部を通過する空気を前方に導く傾斜板を開口部に設けたので、棚の下方及び棚に沿った前方にイオンを導いて貯蔵室内に充分拡散させることができる。
【発明を実施するための最良の形態】
【００２３】
以下に本発明の実施形態を図面を参照して説明する。図１は一実施形態の冷蔵庫を示す正面図である。冷蔵庫１は断熱材により筐体２が構成され、上方から冷蔵室３及び冷凍室４が設けられている。冷蔵室３と冷凍室４とは筐体２に一体の断熱壁５により断熱隔離されている。
【００２４】
図２は冷蔵庫１の側面断面図を示している。冷蔵室３（貯蔵室）及び冷凍室４の前面はそれぞれ開閉扉３ａ、４ａにより開閉できるようになっている。冷蔵室３の後方には背面板３ｂを介して冷却器１０（冷却手段）が設置されている。冷却器１０は冷媒が流通する冷媒管１０ａを蛇行して構成され、冷媒管１０ａが背面板３ｂに接して配されている。
【００２５】
冷蔵室３内には貯蔵物を載置する棚１５、１６、１７が設けられている。棚１５、１６、１７は冷蔵室３の側壁に設けられた複数の台部１８により任意の高さ設置できるようになっている。冷凍室４には上壁６及び棚７、８が設けられる。上壁６及び棚７、８には上記と同様にそれぞれ冷媒管１１ａを蛇行して構成される冷却器１１が内装されている。
【００２６】
冷却器１０、１１は冷凍室４の背後に配された圧縮機１２に接続されている。圧縮機１２は制御部１３の制御により冷凍サイクルを運転して冷却器１０、１１を冷却する。冷却器１１から放出される冷熱は上壁６及び棚７、８を介して冷凍室４内に放出され、冷却された冷凍室４内の空気が上壁６及び棚７、８から降下する。これにより、冷凍室４内に自然対流が発生して冷気が循環し、冷凍室４内の貯蔵物が冷凍保存される。
【００２７】
また、冷却器１０から放出される冷熱は背面板３ｂを介して冷蔵室３内に放出され、冷却された冷蔵室３内の空気が背面板３ｂに沿って降下する。これにより、冷蔵室３内に自然対流が発生して冷気が循環し、冷蔵室３内の貯蔵物が冷蔵保存される。尚、冷熱による冷却によって背面板３ｂに発生する結露は背面板３ｂに沿って流下する。冷蔵庫１の背面にはこの結露水を回収して排水するドレン管１４が設けられている。
【００２８】
冷蔵室３の上面３ｃにはイオンを送出するイオン送出ユニット２０が取り付けられている。イオン送出ユニット２０は背面が背面板３ｂに接するように配置されている。図３、図４はそれぞれイオン送出ユニット２０の斜視図及び正面図を示している。イオン送出ユニット２０は樹脂成形品から成るハウジング２１に透明な樹脂成形品から成るカバー２２が取り付けられている。
【００２９】
ハウジング２１の前方上部には冷蔵室３内の冷気を取り込む吸気口２０ａが形成され、後方下部には冷気を吐出する吐出口２０ｂが設けられている。吐出口２０ｂは冷却器１０よりも上方に設けられる。これにより、後述するように吐出口２０ｂから吐出されるイオンと背面板３ｂ表面の結露との接触を抑制し、イオンの消失を低減できるようになっている。
【００３０】
図５、図６、図７はそれぞれイオン送出ユニット２０の底面図、上面図、側面断面図を示している。イオン送出ユニット２０内はリブ３０により仕切られており、後方にカバー２２（図３参照）を透過して冷蔵室３内を照明する照明灯２８が設けられている。これにより、別途照明灯２８を設置する筐体を設ける必要がなく部品点数を削減することができる。照明灯２８の前方にはシロッコファンから成る送風機２５が配されている。シロッコファンによってイオン送出ユニット２０を薄く構成することができる。
【００３１】
リブ３０により吸気口２０ａに臨んで形成される吸気路２３は連通孔２３ａを介して連通する上段部２３ｃと下段部２３ｄを有している。下段部２３ｄは貫通孔２３ｂを介して送風機２５の吸気部２５ａに臨み、吸気部２５ａに吸気を軸方向に導く。吸気路２３を２段に形成することによって、上部に設けられた吸気口２０ａから冷気を取り込んでシロッコファンから成る送風機２５に容易に該冷気を導くことができる。
【００３２】
吸気路２３の上段部２３ｃには吸着フィルター２７が配されている。これにより、別途吸着フィルター２７を設置する筐体を設ける必要がなく部品点数を削減することができる。吸着フィルター２７は図９に示すようにハニカム状に形成された銅マンガン焼結材から成っており、通過する空気に含まれた臭気成分を吸着する。
【００３３】
送風機２５の周面に設けられた排気部２５ｂは吸気部２５ａから軸方向に取り込まれた空気を周方向に排気する。排気部２５ｂに臨む排気路２４は送風機２５の排気を吐出口２０ｂに導くように形成されている。送風機５の排気側にはイオン発生装置２６が設けられている。図１０に示すように、イオン発生装置２６は高圧電圧の印加によりイオンを発生する電極から成るイオン発生面２６ａを有し、イオン発生面２６ａが排気路２４に面して配されている。
【００３４】
イオン発生装置２６のイオン発生面２６ａには制御部１３の制御によって交流波形またはインパルス波形から成る電圧が印加される。イオン発生面２６ａの印加電圧が正電圧の場合は主としてＨ+（Ｈ2Ｏ）nから成るプラスイオンを発生し、負電圧の場合は主としてＯ2-（Ｈ2Ｏ）mから成るマイナスイオンを発生する。Ｈ+（Ｈ2Ｏ）n及びＯ2-（Ｈ2Ｏ）mは微生物の表面で凝集し、空気中の微生物等の浮遊菌を取り囲む。
【００３５】
そして、式（１）〜（３）に示すように、衝突により活性種である［・ＯＨ］（水酸基ラジカル）やＨ2Ｏ2（過酸化水素）を微生物等の表面上で凝集生成して浮遊菌の除菌を行う。従って、プラスイオン及びマイナスイオンを発生して冷蔵室３内の除菌を行うことができる。また、マイナスイオンを発生して冷蔵室３内の臭気成分の除去を行うことができる。尚、ｎ、ｎ’、ｍ、ｍ’は整数である。
【００３６】
Ｈ+（Ｈ2Ｏ）n＋Ｏ2-（Ｈ2Ｏ）m→・ＯＨ＋1/2Ｏ2＋（ｎ＋ｍ）Ｈ2Ｏ  ・・・（１）
Ｈ+（Ｈ2Ｏ）n＋Ｈ+（Ｈ2Ｏ）n'＋Ｏ2-（Ｈ2Ｏ）m＋Ｏ2-（Ｈ2Ｏ）m'                                  →2・ＯＨ＋Ｏ2＋（ｎ＋ｎ’＋ｍ＋ｍ’）Ｈ2Ｏ  ・・・（２）
Ｈ+（Ｈ2Ｏ）n＋Ｈ+（Ｈ2Ｏ）n'＋Ｏ2-（Ｈ2Ｏ）m＋Ｏ2-（Ｈ2Ｏ）m'                                  →Ｈ2Ｏ2＋Ｏ2＋（ｎ＋ｎ’＋ｍ＋ｍ’）Ｈ2Ｏ  ・・・（３）
【００３７】
吐出口２０ｂの前方にはハウジング２１と一体に形成される保護板３１が下方に延びて設けられている。保護板３１は貯蔵物によって吐出口２０ｂが塞がれることを防止し、イオンの送出量の減少を防止できるようになっている。
【００３８】
吐出口２０ｂには軸部３０ａで支持される案内板３０が設けられている。案内板３０の後方はハウジング２１の背壁の一部を傾斜した前方案内部２１ａが形成されている。案内板３０及び前方案内部２１ａによって吐出口２０ｂから送出されるイオンを含む冷気が左右方向及び前方に導く送風案内部が構成されている。
【００３９】
傾斜した前方案内部２１ａによって吐出口２０ｂから下方に送出されるイオンは冷蔵室３の背面板３ｂ（図２参照）から離れる方向に導かれる。従って、背面板３ｂや背面板３ｂに結露した水分との接触によるイオンの消滅を低減することができ、イオンの送出効率を向上することができる。
【００４０】
図８はイオン送出ユニット２０の吐出口２０ｂ近傍の背面図を示している。案内板３０は下方にいくほど広がるように２枚設けられる。これにより、吐出口２０ｂから送出されるイオンが吐出口２０ｂの幅よりも左右方向に広がるように導かれ、イオンを冷蔵室３内に充分拡散して臭気除去や除菌効果を向上することができる。
【００４１】
また、案内板３０を軸部３０ａを軸として回動可能に設けるとより望ましい。このようにすると、イオン送出ユニット２０の下方に貯蔵物が配置された際に貯蔵物の方向へのイオンの送出を規制して貯蔵物との衝突によるイオンの消滅を低減することができる。前方案内部２１ａの向きを可変できるようにしてもよい。
【００４２】
上記構成の冷蔵庫において、冷蔵室３内を自然対流して上面３ｃ近傍を後方に流通する冷気は送風機２５の駆動によって矢印Ａ（図６、図７参照）に示すようにイオン送出ユニット２０の前方上部に形成される吸気口２０ａからイオン送出ユニット２０内に取込まれる。該冷気は吸着フィルター２７を通過して吸気路２３の上段部２３ｃから連通孔２３ａを介して下段部２３ｄを流通する。そして、矢印Ｂ（図７参照）に示すように貫通孔２３ｂから吸気部２５ａを介して送風機２５に吸引される。
【００４３】
送風機２５の排気部２５ｂから矢印Ｃ（図６参照）に示すように排気路２４に排気される冷気にはイオン発生装置２６から放出されるイオンが含まれる。そして、矢印Ｄ（図６参照）に示すようにイオン送出ユニット２０の後方下部の吐出口２０ｂからイオンを含んだ冷気が冷蔵室３内に送出され、自然対流に沿って冷蔵室３内に拡散される。
【００４４】
図１１は冷蔵室３の上部の詳細を示す側面断面図である。棚１５の後方には開口部１５ａが形成される。開口部１５ａには前方が下方になるように傾斜した傾斜板１５ｂが棚１５と一体に形成されている。棚１６、１７についても同様の開口部及び傾斜板が設けられている。
【００４５】
これにより、イオン送出ユニット２０の吐出口２０ｂから矢印Ｅに示すように冷蔵室３の背面に沿って下方に送出されるイオンは矢印Ｆに示すように開口部１５ａを通過して棚１５の下方を流通する。また、矢印Ｇに示すように傾斜板１５ｂによって棚１５に沿って前方に導かれる。従って、イオンを冷蔵室３内により拡散させることができる。
【００４６】
本実施形態によると、イオン送出ユニット２０を冷蔵室３の上部後方に設置したので、自然対流によって冷蔵室３の上面に沿って流通する冷気にイオンを含ませて簡単にイオンを冷蔵室３内に循環させることができる。この時、案内板３０や前方案内部２１ａから成る送風案内部を設けることによってイオンが吐出口２０ｂから左右方向や前方に広がって送出され、イオンを冷蔵室３内に充分拡散させることができる。尚、イオン送出ユニット２０を冷蔵室３の上面３ｃに近接して背面板３ｂや側壁３ｄ（図１参照）に取り付けてもよい。
【図面の簡単な説明】
【００４７】
【図１】本発明の実施形態の冷蔵庫を示す正面図
【図２】本発明の実施形態の冷蔵庫を示す側面断面図
【図３】本発明の実施形態の冷蔵庫のイオン送出ユニットを示す斜視図
【図４】本発明の実施形態の冷蔵庫のイオン送出ユニットを示す正面図
【図５】本発明の実施形態の冷蔵庫のイオン送出ユニットを示す底面図
【図６】本発明の実施形態の冷蔵庫のイオン送出ユニットを示す上面図
【図７】本発明の実施形態の冷蔵庫のイオン送出ユニットを示す側面断面図
【図８】本発明の実施形態の冷蔵庫のイオン送出ユニットを示す背面図
【図９】本発明の実施形態の冷蔵庫の吸着フィルターを示す斜視図
【図１０】本発明の実施形態の冷蔵庫のイオン発生装置を示す斜視図
【図１１】本発明の実施形態の冷蔵庫の冷蔵室上部を示す側面断面図
【符号の説明】
【００４８】
１    冷蔵庫
２    筐体
３    冷蔵室
３ｂ  背面板
３ｃ  上面
４    冷凍室
１０、１１  冷却器
１２    圧縮機
１３    制御部
１４    ドレン管
１５〜１７  棚
１５ａ  開口部
１５ｂ  傾斜板
２０    イオン送出ユニット
２０ａ  吸気口
２０ｂ  吐出口
２１    ハウジング
２１ａ  背壁
２２    カバー
２３    吸気路
２４    排気路
２５    送風機
２６    イオン発生装置
２６ａ  イオン発生面
２７    吸着フィルター
２８    照明灯
３０    案内板
３１    保護板
【図１】
2005221160.tif 000003
【図２】
2005221160.tif 000004
【図３】
2005221160.tif 000005
【図４】
2005221160.tif 000006
【図５】
2005221160.tif 000007
【図６】
2005221160.tif 000008
【図７】
2005221160.tif 000009
【図８】
2005221160.tif 000010
【図９】
2005221160.tif 000011
【図１０】
2005221160.tif 000012
【図１１】
2005221160.tif 000013